(57)【要約】【課題】シンプルな防滴構造を備えた受信機のケース構造を提供する。【解決手段】第１ケース体９０と第２ケース体９１を嵌合してなる受信機９のケースにおいて、第１ケース体９０は第１面部９００と第１面部９００の上端に形成した第１上面部９０１とを備え、第２ケース体９１は第２面部９１０と第２面部９１０の上端に形成した第２上面部（第１部位９１１、第２部位９１２）とを備え、嵌合状態において、第１面部９００と第２面部９１０が対向し、上側に位置する第１上面部９０１と下側に位置する第２上面部からケースの上面部が形成され、第２上面部（第１部位９１１）の上面は第２面部９１１に向かって下向きの傾斜面を有しており、前記傾斜面の上方部位は第１上面部９０１の下方に位置している。【選択図】図７
2018123531.tif 000002
【特許請求の範囲】
【請求項１】
第１ケース体と第２ケース体を嵌合してなる受信機のケースにおいて、
前記第１ケース体は、高さ方向に延びる第１面部と当該第１面部の上端に形成した第１上面部とを備え、
前記第２ケース体は、高さ方向に延びる第２面部と当該第２面部の上端に形成した第２上面部とを備え、
前記第１ケース体と前記第２ケース体の嵌合状態において、前記第１面部と前記第２面部が対向し、上側に位置する前記第１上面部と下側に位置する前記第２上面部とから前記ケースの上面部が形成され、
前記第２上面部の上面は前記第２面部に向かって下向きの傾斜面を有しており、前記傾斜面の上方部位は前記第１上面部の下方に位置している、
受信機のケース構造。
【請求項２】
前記第１ケース体の前記第１上面部の上面は、前記第１面部に向かって下向きの傾斜面を有している、請求項１に記載の受信機のケース構造。
【請求項３】
前記第１ケース体の前記第１上面部の先端には上側に突出する突部が形成されている、
請求項１、２いずれか１項に記載のケース。
【請求項４】
前記第１ケース体には、前記第１上面部の下方に位置して内方上面部が形成されており、
前記第２ケース体の前記第２上面部は、前記傾斜面を備えた第１部位と当該第１部位の先端に一体形成された第２部位とからなり、前記第２部位は前記内方上面部に接触すると共に、当該第２部位の先端は前記第１面部の内面に接触している、
請求項１〜３いずれか１項に記載のケース。
【発明の詳細な説明】
【技術分野】
【０００１】
本発明は受信機のケース構造に係り、具体的な態様例では、電動開閉体（典型的には電動シャッター）における受信機のケース構造に関するものである。
【背景技術】
【０００２】
電動開閉体では、受信機が受信した信号に基づいて駆動手段を作動させることで開閉体の開閉制御が行われる。例えば、電動シャッターでは、受信機が受信した信号に基づいて開閉機を作動させることでシャッターカーテンの開閉制御が行われる。
【０００３】
通常、電動シャッターにおける受信機は建物開口部上方のシャッターケース内や天井内に配置される。例えば、図８に示すように、シャッターケース３の下方部位に受信機９´が配置され、受信機９´は、シャッターケース３内で巻取シャフト４に巻き取られたシャッターカーテン１の下方に位置する。ここで、シャッター装置は、屋外と屋内とを区画する建物開口部に設置される場合が多く、建物開口部全閉状態でシャッターカーテン１の屋外側面に付着した雨水が建物開口部開放時にシャッターカーテン１と共に巻き取られ、巻き取られたシャッターカーテン１から受信機９´上に滴下するおそれがある。受信機９´のケース内には制御基板が内装されているため、ケース内に水滴（シャッターカーテンから滴下する水に限定されない）が浸入することを防止する必要がある。
【０００４】
図８に示す受信機９´のケースは、第１ケース体９０´と第２ケース体９１´とを嵌合してなる。図９に拡大して示すように、第１ケース体９０´の上部は、上面部９０１´と内方上面部９０６´とからなり、上面部９０１´と内方上面部９０６´から形成される溝に第２ケース体９１´の上面部９１０´が挿入されている。第１ケース体９０´の上記溝の底部にはパッキンＰが設けてあり、第２ケース体９１´の上面部９１０´の先端縁がパッキンＰに圧接することで密閉構造を形成している。
【０００５】
しかしながら、単に、第１ケース体９０´側の凹部に第２ケース体９１´の凸部を嵌合させる構成では、嵌合部に水が溜まり易く毛細管現象などでケース内部へ水を引き込み易い。また、第１ケース体９０´と第２ケース体９１´は着脱可能に嵌合されており、必要に応じて何度も着脱が行われ得ることから、パッキンＰの性能を安定させる工夫が必要となる。さらに、第１ケース体９０´と第２ケース体９１´の他にパッキンＰを用いることは、防滴構造を複雑にすると共に、コストアップを招く。
【０００６】
同様の課題が特許文献１で言及されているが、特許文献１では、受信装置のケースを平置きとし、上ケース体の天井面に配線基板を設けるという解決手段を提供するものであり、第１ケース体と第２ケース体を嵌合してなるケースを縦置きとした場合の防滴構造に採用することはできない。
【特許文献１】特開平１１−２９４０４５
【発明の開示】
【発明が解決しようとする課題】
【０００７】
本発明は、シンプルな防滴構造を備えた受信機のケース構造を提供することを目的とする。
【課題を解決するための手段】
【０００８】
本発明が採用した技術手段は、
第１ケース体と第２ケース体を嵌合してなる受信機のケースにおいて、
前記第１ケース体は、高さ方向に延びる第１面部と当該第１面部の上端に形成した第１上面部とを備え、
前記第２ケース体は、高さ方向に延びる第２面部と当該第２面部の上端に形成した第２上面部とを備え、
前記第１ケース体と前記第２ケース体の嵌合状態において、前記第１面部と前記第２面部が対向し、上側に位置する前記第１上面部と下側に位置する前記第２上面部とから前記ケースの上面部が形成され、
前記第２上面部の上面は前記第２面部に向かって下向きの傾斜面を有しており、前記傾斜面の上方部位は前記第１上面部の下方に位置している、
受信機のケース構造、である。
【０００９】
１つの態様では、前記第１ケース体の前記第１上面部の上面は、前記第１面部に向かって下向きの傾斜面を有している。
１つの態様では、前記第１ケース体の前記第１上面部の先端には上側に突出する突部が形成されている。
【００１０】
１つの態様では、前記第１ケース体には、前記第１上面部の下方に位置して内方上面部が形成されており、
前記第２ケース体の前記第２上面部は、前記傾斜面を備えた第１部位と当該第１部位の先端に一体形成された第２部位とからなり、前記第２部位は前記内方上面部に接触すると共に、当該第２部位の先端は前記第１面部の内面に接触している。
【発明の効果】
【００１１】
本発明では、上側に位置する第１上面部と下側に位置する第２上面部とからケースの上面部を形成し、前記第２上面部が上面を第２面部に向かって下向きの傾斜面を有しており、前記傾斜面の上方部位は前記第１上面部の下方に位置しているので、前記第１上面部の下方に回り込んだ水滴は前記傾斜面に案内されて排出されるので、第１上面部の下方の奥に水滴を呼び込みにくくなっており、ケース内部への水滴の浸入を可及的に防止する。
【００１２】
第１ケース体の前記第１上面部の上面が前記第１面部に向かって下向きの傾斜面を有しているものでは、ケース上面に滴下した水滴は、第１上面部の傾斜面（上側の傾斜面）に沿って第１面部側に案内されるか、あるいは、第２上面部の傾斜面（下側の傾斜面）に沿って第２面部側に案内されるので、ケース上面に滴下した水滴を第１面部側あるいは第２面部側に逃がし、第１上面部の下方に浸入することを可及的に防止する。
第１ケース体の前記第１上面部の先端に上側に突出する突部を形成したものでは、当該突部が水滴の移動を規制する要素として機能し、上側に位置する第１上面部の先端から当該第１上面部の下方に水滴が回り込むことを可及的に防止する。
【００１３】
本発明に係る防滴構造では、防滴を目的とする追加要素（パッキン等のシール材）を用いないので、追加要素を用いる場合に比べて低コストであり、構造もシンプルである。
【図面の簡単な説明】
【００１４】
【図１】電動シャッターの概念図である。
【図２】建物開口部の上方部位の縦断面図である。
【図３】図２における受信機の部分拡大図である。
【図４】上図、中央図、下図は、それぞれ、受信機の上面図、正面図、下面図である。
【図５】上図は受信機の分解斜視図、下図は受信機の斜視図である。
【図６】受信機の縦断面図である。
【図７】図６の上方部位の部分拡大図である。
【図８】従来の受信機を示す建物開口部の上方部位の縦断面図である。
【図９】従来の受信機の第１ケース体の上面部と第２ケース体の上面部との嵌合状態を示す部分拡大図である。
【発明を実施するための形態】
【００１５】
図１は、電動シャッター装置の概念図であって、電動シャッターは、建物開口部を開閉するシャッターカーテン１と、建物開口部両側に設けた左右のガイドレール２と、建物開口部上方に設けられたシャッター収納部としてのシャッターケース３と、シャッターケース３内に設けられ、シャッターカーテン１の上端が連結された巻取シャフト４（図２参照）と、巻取シャフト４を回転駆動させてシャッターカーテン１を開閉する開閉機５と、シャッターカーテン１下端に設けた座板６と、座板６に設けられた送信機７と、建物開口部上方部位（例えばまぐさ部）に位置して、送信機７の直上に設けた受光部８と、シャッターケース３内に設けた受信機９と、一方のガイドレール２の近傍の壁体に設けた操作ボックス１０と、を備えている。
【００１６】
図２に示すように、シャッターケース３は、外壁Ｗから持ち出し状に取り付けられており、巻取シャフト４の長さ方向両端は、外壁Ｗから持ち出し状に取り付けられた左右のブラケット１１間に支持されている。シャッターケース３の下面には、左右のガイドレール２の上端部間に亘ってまぐさ部１２、１３が設けてあり、まぐさ部１２、１３間にシャッターカーテン１が通る開口が形成されている。シャッターケース３の下面３０には、まぐさ部１２の近傍に位置して、取付片１４が設けてある。取付片１４は、水平辺１４０と垂直辺１４１とから断面視Ｌ形状を有しており、水平辺１４０がシャッターケース３の下面３０に当接し、垂直辺１４１がシャッターケース３の下面３０から垂直状に立ち上がるように固定されており、垂直辺１４１に受信機９が螺子１４２で固定されている。取付片１４の形状や配置構成は図示の態様に限定されるものではなく、当業者において適宜設計し得る事項である。
【００１７】
座板６は、上座板６０と、上座板６０に対して上下動可能な可動の下座板６１と、上座板６０と下座板６１の間に設けた検知部６２とからなり、座板スイッチを構成している。座板スイッチは通常時（上座板６０から下座板６１がフリーで吊持された状態）にはＯＦＦ状態にあり、上座板６０に対して下座板６１が相対的に上動した状態で検知部６２の検知レバーが回動してＯＦＦ状態からＯＮ状態となり、上座板６０に対して上動姿勢にある下座板６１が下動して吊持状態となると、検知部６２の検知レバーが通常姿勢に復帰するように回動してＯＮ状態からＯＦＦ状態となる。このような座板スイッチは当業者によく知られているので、さらなる詳細な説明は省略する。
【００１８】
送信機７は、座板スイッチがＯＦＦ状態からＯＮ状態となった時に、無線ＯＮ信号を送信し、座板スイッチがＯＮ状態からＯＦＦ状態となった時に、無線ＯＦＦ信号を送信する。本実施形態では、送信機７は、赤外線ＯＮ信号、赤外線ＯＦＦ信号を送信する送光部を備えている。なお、本発明に適用される無線信号の種類は赤外線信号に限定されるものではなく、例えば、ＲＦ信号や他の波長帯の信号でもよい。
【００１９】
建物開口部上方のまぐさ部には、受光部８（図２では図示せず）が設けてあり、送信機７から送信される無線ＯＮ信号、無線ＯＦＦ信号は、受光部８で受光される。シャッターケース３内の下方には、まぐさ部１２の近傍に位置して受信機９が設けてあり、受信機９は、シャッターケース３内で巻取シャフト４に巻き取られたシャッターカーテン１の下方に位置している。受光部８と受信機９とは電気的に接続されており、受光部８で受信されたＯＮ信号ないしＯＦＦ信号は、受信機９に送信される。本実施形態では、受光部８と受信機９が物理的に離間しているが、受光部が確実にＯＮ信号ないしＯＦＦ信号を受光できる配置態様であれば、受光部一体型の受信機であってもよい。また、無線信号の種類によっては、受信機のみを用いてもよい。
【００２０】
受信機９は、第１ケース体９０と第２ケース体９１を着脱可能に嵌合してなるケースと、第１ケース体９１内に設けられた制御基板９２（図４下図参照）と、を備えており、垂直姿勢で配置される。受信機９の制御基板９２は、開閉機５の制御盤５０、受光部８、操作ボックス１０と電気的に接続されており、制御基板（第１制御部）９２と開閉機５の制御盤（第２制御部）５０からシャッター開閉制御部が構成されている。本実施形態では、シャッター開閉制御部は、物理的に離間した第１制御部と第２制御部からなるが、１つの制御部からシャッター開閉制御部を形成してもよい。
【００２１】
操作ボックス１０には、操作スイッチとしての上昇ボタンＰＢＵ、停止ボタンＰＢＳ、下降ボタンＰＢＤが設けてあり、操作者が上昇ボタンＰＢＵを押すと、上昇信号が制御基板９２を介して開閉機５の制御盤５０に送信され、開閉機５によって巻取シャフト４を第１の方向に回転させて、シャッターカーテン１を上昇させ、下降ボタンＰＢＤを押すと、下降信号が制御基板９２を介して開閉機５の制御盤５０に送信され、開閉機５によって巻取シャフト４を第２の方向に回転させて、シャッターカーテン１を下降させ、停止ボタンＰＢＳを押すと、停止信号が制御基板９２を介して開閉機５の制御盤５０に送信され、開閉機５の回転駆動が停止し、回転中の巻取シャフト４が停止して移動中のシャッターカーテン１が停止する。
【００２２】
図３〜図６に示すように、受信機９のケースの一方の半部を形成する第１ケース体９０は、横長方形状の第１面部９００と、第１面部９００の上端に形成された第１上面部９０１と、第１上面部９０１の先端に突成された突部９０２と、第１面部９００の下端近傍に形成された第１下面部９０３と、第１面部９００の幅方向両端に形成された第１側面部９０４と、第１面部９００の幅方向両端から側面部９０４を越えて延出形成された取付辺９０５と、を備えている。各第１側面部９０４には、第１嵌合部９０４０が形成されている。各取付辺９０５には、上下に間隔を存して取付孔９０５０が形成されている。
【００２３】
第１ケース体９０の第１面部９００の内面には、第１上面部９０１、左右の第１側面部９０４の内側に位置して、内方上面部９０６、左右の内方側面部９０７が形成されており、内方上面部９０６、左右の内方側面部９０７、第１下面部９０３から四周状の内壁が形成されており、内壁で囲まれた領域内に制御基板９２（図４下図参照、図５、図６には図示せず）が設けられる。
【００２４】
受信機９のケースの他方の半部を形成する第２ケース体９１は、横長方形状の第２面部９１０と、第２面部９１０の上端に形成された第２上面部（第１部位９１１と第１部位９１１の先端に一体形成された第２部位９１２とからなる）と、第２面部９１０の下端に形成された第２下面部９１３と、第２面部９１０の幅方向両端部に形成された第２側面部９１４と、を備えている。各第２側面部９１４には、第２嵌合部９１４０が形成されている。
【００２５】
第１ケース体９０に対して第２ケース体９１を嵌合することで、受信機９のケースが形成されている。受信機９はケースを縦置き（垂直姿勢）として取付片１４に取り付けられる。図３に示す態様では、螺子１４２を用いて、取付辺９０５を取付片１４の垂直辺１４１に固定しているが、垂直辺１４１から水平状に突設した軸部（螺子１４２の軸部から形成し得る）に取付孔９０５０を係止させることで取付辺９０５を垂直辺１４１に引っ掛けてもよく、受信機９の取付構成は限定されない。
【００２６】
受信機９を取付片１４に取り付けた状態では、第１ケース体９０の第１面部９００は垂直面となる（図３参照）。本実施形態では、第１ケース体９０の第１上面部９０１の上面は、先端から基端（面部９００側）に向かって緩やかに下向きに傾斜する傾斜面となっている。内方上面部９０６は水平に延びており、その上面は水平面となっている。左右の第１側面部９０４は垂直状に延びており、下面部９０３は水平状に延びている。
【００２７】
受信機９を取付片１４に取り付けた状態では、第２ケース体９１の第２面部９１０は垂直面となる（図３参照）。第２ケース体９１の第２上面部の第１部位９１１は基端（第２面部９１０側）から先端に向かって上向き傾斜状に延びており、第１部位９１１の上面は、先端から基端（面部９１０側）に向かって下向きに傾斜する傾斜面となっている。第２ケース体９１の第２上面部の第２部位９１２は水平状に延びており、第２部位９１２の上面及び下面は水平面となっている。なお、第２部位９１２の上面を先端から基端（第１部位９１１側）に向かって下向きに傾斜する傾斜面としてもよい。左右の第２側面部９１４は垂直状に延びており、下面部９１３は水平状に延びている。
【００２８】
第１ケース体９０と第２ケース体９１の嵌合状態において、第１ケース体９０の第１面部９００がケースの垂直状の一方の面部を形成し、第２ケース体９１の第２面部９１０がケースの垂直状の他方の面部を形成し、第１ケース体９０の第１上面部９０１と第２ケース体９１の第２上面部（第１部位９１１、第２部位９１２）がケースの上面部を形成し、第１ケース体９０の第１側面部９０４と第２ケース体９１の第２側面部９１４がケースの側面部を形成し、第２ケース体９１の第２下面部９１３がケースの下面部を形成する。
【００２９】
第１ケース体９０の内壁（内方上面部９０６、左右の内方側面部９０７、下面部９０３）に第２ケース体９１の第２上面部の第２部位９１２、左右の第２側面部９１４、第２下面部９１３を被せるように装着することで、第１ケース体９０と第２ケース体９１を嵌合する。嵌合状態において、第２ケース体９１の第２上面部の第２部位９１２、左右の第２側面部９１４、第２下面部９１３の内面は、第１ケース体９０の内方上面部９０６、左右の内方側面部９０７、第１下面部９０３の外面に接触し、第２ケース体９１の第２上面部（第２部位９１２）、左右の第２側面部９１４、第２下面部９１３の先端縁は、第１ケース体９０の第１面部９００の内面に当接している。
【００３０】
嵌合状態において、第２ケース体９１の第２上面部の第２部位９１２及び第１部位９１１の部分の上方には、第１ケース体９０の第１上面部９０１が位置している。第２ケース体９１の左右の第２側面部９１４の外側には、第１ケース体９０の左右の第１側面部９０４が位置しており、第１ケース体９０の第１側面部９０４の第１嵌合部９０４０に、第２ケース体９１の第２側面部９１４の第２嵌合部９１４０が嵌合している。第１嵌合部９０４０と第２嵌合部９１４０が嵌合することで、第１ケース体９０と第２ケース体９１の嵌合状態が維持される。
【００３１】
図７を参照しつつ、受信機９のケースの上部構造について詳述する。ケースの上部構造において、第１ケース体９０と第２ケース体９１の嵌合状態において、第１面部９００と第２面部９１０が離間対向し、上側に位置する第１上面部９０１と下側に位置する第２上面部（第１部位９１１、第２部位９１２）とからケースの上面部が形成されている。
【００３２】
第１ケース体９０において、第１上面部９０１の下面と内方上面部９０６の上面は離間しており、第１上面部９０１の下面と内方上面部９０６の上面と第１面部９００の内面の上端部位から横向きの凹部が形成されている。第１面部９００に対する第１上面部９０１の立ち上がり寸法は、第１面部９００に対する内方上面部９０６の立ち上がり寸法よりも大きく、第１上面部９０１の先端側部位の下方には内方上面部９０６は延びていない。第１ケース体９０に第２ケース体９１を嵌合した状態では、第１ケース体９０の上記凹部に第２ケース体９１の第２上面部が挿入されている。より具体的には、第２ケース体９１の第２上面部の第２部位９１２が第１ケース体９０の内方上面部９０６に接触し、第２部位９１２の先端縁は第１ケース体９０の面部９００の内面に接触している。第１ケース体９０の第１上面部９０１の下方には、第２ケース体９１の第２上面部の第２部位９１２及び傾斜状の第１部位９１１の上方部位が位置している。第１ケース体９０の第１上面部９０１の下面と第２ケース体９１の第２上面部の第２部位９１２及び傾斜状の第１部位９１１の上方部位の上面との間には空間が形成されている。
【００３３】
第１ケース体９０の第１上面部９０１の上面は、先端から基端（第１面部９００）に向かって緩やかに下向きに傾斜する傾斜面となっており、第１上面部９０１の上面の先端には当該先端に沿って延びる突部９０２が形成されている。ケース上面部において、上側の第１上面部９０１の上面に滴下した水滴は、傾斜面に沿って第１面部９００側に案内される。第１上面部９０１の先端には上向きの突部９０２が形成されているので、突部９０２が水滴の移動を規制する要素として機能して、第１上面部９０１の先端から下方に水滴が回り込むことを可及的に防止する。
【００３４】
第２ケース体９１の第２上面部の上面は、第２面部９１０に向かって下向きに傾斜する第１部位９１１の傾斜状の上面と水平状の第２部位９１２の水平状の上面からなる。第２部位９１２及び傾斜状の第１部位９１１の上方部位は第１ケース体９０の第１上面部９０１に覆われているが、第１部位９１１の第２面部９１０に向かって下向きの傾斜面のその他の部位の上面は露出している。第１部位９１１の露出する傾斜面に滴下した水滴は、傾斜面に沿って第２面部９１０側に案内される。第２上面部の傾斜状の第１部位９１１の上方部位は第１上面部９０１の下方に位置しており、第１ケース体９０の第１上面部９０１の下側に回り込んだ水滴は、第１部位９１１の傾斜面に沿って第２面部９１０側に案内される。
【符号の説明】
【００３５】
９  受信機
９０  第１ケース体
９００  第１面部
９０１  第１上面部
９０２  突部
９１  第２ケース体
９１０  第２面部
９１１  第２上面部の第１部位
９１２  第２上面部の第２部位
【図１】
2018123531.tif 000003
【図２】
2018123531.tif 000004
【図３】
2018123531.tif 000005
【図４】
2018123531.tif 000006
【図５】
2018123531.tif 000007
【図６】
2018123531.tif 000008
【図７】
2018123531.tif 000009
【図８】
2018123531.tif 000010
【図９】
2018123531.tif 000011